(57)【要約】【課題】本発明の課題は、手に取りやすい気軽さ・衝動をガイドマップに持たせ、より多くの人々の目に留まる機会を設けるとともに、必要最低限のガイドマップの役割を持ちながら、従来のガイドマップでは補いきれなかった観光客の集客の効果をも望むことが可能となるガイドマップを提供することにある。【解決手段】本発明のガイドマップは、観光地のグラフィック、情報および地図を備え、ガイドマップ本体１が、折り線４を介して連接された第一片２と第二片３とから構成され、第一片２には、表面に宛名欄が、裏面に観光地をモチーフにした写真等のグラフィック部９が、設けられ、第二片３には、観光地へのルートを示した地図掲載部と観光地の説明文掲載部８が設けられていることを特徴とする。【選択図】図２
2006027073.tif 000002
【特許請求の範囲】
【請求項１】
観光地をモチーフにしたグラフィック、該観光地に関する情報および地図を備えたガイドマップであって、
ガイドマップ本体は、折り線を介して連接された第一片と第二片とから構成されており、
前記第一片には、表面に宛名欄が設けられるとともに、裏面に、前記観光地をモチーフにした写真や絵画および版画等のグラフィック部が設けられており、
前記第二片には、前記観光地へのルートを示した地図掲載部が設けられるとともに、前記グラフィック部に描かれた観光地の説明文掲載部が設けられていることを特徴とするガイドマップ。
【請求項２】
請求項１記載のガイドマップであって、
前記地図掲載部は、第二片の表面に設けられており、
前記説明文掲載部は、第二片の裏面に設けられていることを特徴とするガイドマップ。
【請求項３】
請求項１および２記載のガイドマップであって、
前記地図掲載部が設けられている面において、該地図掲載部とともに広告が掲載される広告掲載部が設けられていることを特徴とするガイドマップ。
【請求項４】
観光地をモチーフにしたグラフィック、該観光地に関する情報および地図を備えたガイドマップであって、
ガイドマップ本体は、折り線を介して連接された第一片と第二片とから構成されており、
前記第一片の表面には、宛名欄が設けられ、前記第二片の表面には、前記観光地の説明文掲載部および前記観光地へのルートを示した地図掲載部が設けられており、
前記ガイドマップ本体の裏面には、前記観光地をモチーフにした写真や絵画および版画等のグラフィック部が、第一片と第二片とに亘り設けられていることを特徴とするガイドマップ。
【発明の詳細な説明】
【技術分野】
【０００１】
本発明は、ガイドマップに関する発明であり、より詳しくは、たとえば、観光地をモチーフにしたグラフィック、該観光地に関する情報および地図が記載されているガイドマップに関する発明である。
【背景技術】
【０００２】
従来より、ガイドマップは、不慣れな土地でも、限られた日程の中でより充実した時間を過ごすための様々な観光情報を提供しており、旅行に際して欠かせないものである。
【０００３】
観光情報を提供するガイドマップは、たとえば、地図や利用時間または問合せ先などの観光地を訪ねるために最低限必要な情報を提供する簡易なガイドマップから、周辺のレジャー施設、宿泊施設、様々なジャンルの食事処および土産物などの紹介や利用されるであろう交通機関の時刻表や観光地の由来などの情報まで織り込まれた詳細なガイドマップまである。
【０００４】
また、ガイドマップの形状として、主に、冊子状のもの、あるいは、折りたたまれた一枚物などがある。書店などで販売されている冊子状のガイドマップは、情報が豊富にあるため、たとえば、利用者が旅行に出発する以前に購入し、事前に目的地に関しての情報を仕入れ、記載されている情報に基づいて自分好みの旅行計画を立てるなどに活用される。また、一枚物を折りたたんで使われるガイドマップは、たとえば、旅行先の観光案内所等で無料で配布されていたり、もしくは、観光地に入場する際に案内図として渡されたりされている。前記冊子状のガイドマップに比べ情報量は少ないが、近辺の案内や観光地に関する情報がコンパクトにまとめられている。
【０００５】
しかしながら、従来のガイドマップではいくつか問題点があった。前記冊子状のガイドマップにおいては、高価であり、また、かさばるため携帯するのに不便であった。しかも、情報量は多いが、利用者が必要とする情報より必要としない情報の方が多かった。
【０００６】
さらに、一枚物の形状をしたガイドマップにおいては、大抵のものの紙質が悪く、折り目が付きやすいため、利用者がこのガイドマップをきれいなまま保管しようとするなら相当の努力と気力が必要である。
【０００７】
また、これらのガイドマップは、当初から興味を持っていた観光地か、あるいは、旅行が決定している人のみ、手にされるものであり、観光地の情報を全く持っていない人々にアピールする手段はなく、観光客の集客という効果を持ち得なかった。
【０００８】
たとえば、観光客の集客方法として、ＴＶや雑誌などのメディアに観光地が取り上げられることによって、人々の目に留まるのが現状である。しかし、これら取り上げられる観光地は名所として知名度が高い場所のみであり、その他のあまり知られていない所謂マイナーな観光地はほとんど取り上げられない。自ら宣伝をしようとするなら、多くの人々の目に映らなければ効果が期待できないため、そのような宣伝を行うとなると莫大な費用がかかってしまう。
【発明の開示】
【発明が解決しようとする課題】
【０００９】
そこで、本発明は上記従来の欠点に鑑みてなされたものであって、本発明の課題は、従来のガイドマップと異なり、人々が手に取りやすい気軽さと手に取りたくなる衝動をガイドマップに持たせることで、より多くの人々の目に留まる機会を設けることが可能となり、必要最低限のガイドマップの役割を持ちながら、従来のガイドマップでは補いきれなかった観光客の集客の効果をも望むことが可能となるガイドマップを提供することにある。
【課題を解決するための手段】
【００１０】
本発明は上記の課題を解決すべくなされたものであり、観光地をモチーフにしたグラフィック、該観光地に関する情報および地図を備えたガイドマップであって、ガイドマップ本体が、折り線を介して連接された第一片と第二片とから構成されており、前記第一片には、表面に宛名欄が設けられるとともに、裏面に前記観光地をモチーフにした写真や絵画および版画等のグラフィック部が設けられており、前記第二片には、前記観光地へのルートを示した地図掲載部が設けられるとともに前記グラフィック部に描かれた観光地の説明文掲載部が設けられていることを特徴とする。
【００１１】
本発明に係るガイドマップにあっては、看者が美的に優れたグラフィック部に興味を引かれることにより、自動的に説明文掲載部に目が留まり、掲載されている観光地への興味を引くことが可能となる。しかも、該観光地に興味を持った看者は、地図掲載部によって簡単に観光地を訪れることができる。また、ガイドマップ本体の第一片を第二片から切り離すことで絵はがきとして利用することも可能である。
【００１２】
また、従来の冊子状のものに比べ、安価なために、人々が手に取りやすい気軽さと手に取りたくなる衝動を持たせることが可能となり、より多くの人々の目に留まる機会を持たせることができる。
【００１３】
さらに、本発明に係るガイドマップにあっては、看者にグラフィック部によって注意を喚起し、説明文掲載部によって観光地自体に看者の興味を引き、しかも、地図掲載部を設けていることで、従来のガイドマップでは補いきれなかった観光客の集客の効果を望むことが可能となる。
【００１４】
つまり、本発明を採用することによって、従来のガイドマップと異なり、たとえば、本発明をお土産や旅の記念として持ち帰る場合、あるいは、印刷されているグラフィック部を気に入り家のインテリアに活用する場合、もしくは、収集目的で持ち帰る場合などと、観光地の説明文掲載部や地図掲載部が印刷された情報面が不必要であっても、必ず目に触れさせることができ、観光地の宣伝を行うことができる。
【００１５】
また、たとえば、観光地の説明文掲載部と地図掲載部が設けられている情報面を切り離さず、本発明を折りたたんでそのまま郵送することによって、届け先に観光地情報を送付することができ、新たな観光客候補の開拓につながる。
【００１６】
なお、上記構成からなるガイドマップにあっては、看者が持参する場合、従来のガイドマップに比べ、かさばることもなく、前記観光地の説明文掲載部と地図掲載部が印刷されている情報面を切り取って１枚のカードとして利用でき、また、そのまま本発明を二つ折りにして利用しても文庫本ほどの大きさのため、携帯するのに大変便利である。
【００１７】
また、本発明に係るガイドマップにあっては、前記地図掲載部は、第二片の表面に設けられており、前記説明文掲載部は、第二片の裏面に設けられている構成を採用することができる。
【００１８】
上記構成を採用することにより、絵はがきに設けられたグラフィック部を見ながら、このグラフィックに関する観光地の説明文やコメントを読むことができ、この絵はがきを手に取った人の理解や興味を深める効果が期待できる。
【００１９】
また、本発明に係るガイドマップにあっては、前記地図掲載部が設けられている面において、該地図掲載部とともに広告が掲載される広告掲載部が設けられている構成を採用することができる。
【００２０】
これにより、広告を出す広告主がスポンサーとなることで、本発明を無料で提供することでき、看者が気軽に本発明を持ち帰ることができる。
【００２１】
観光地をモチーフにしたグラフィック、該観光地に関する情報およびた地図を備えたガイドマップであって、ガイドマップ本体は、折り線を介して連接された第一片と第二片とから構成され、前記第一片の表面には、宛名欄が設けられ、前記第二片の表面には、前記観光地の説明文掲載部および前記観光地へのルートを示した地図掲載部が設けられており、ガイドマップ本体の裏面には、前記観光地をモチーフにした写真や絵画および版画等のグラフィック部が、第一片と第二片とに亘り設けられていることを特徴とする。
【００２２】
上記構成を採用することによって、前記グラフィック部を設ける範囲を広げることができるため、前記グラフィック部が大きくなり、より強く看者の興味を引くことができる。
【発明を実施するための最良の形態】
【００２３】
以下、本発明のガイドマップの実施の形態について図面を参酌しつつ説明する。
【００２４】
〈第１実施形態〉
図１は、本発明の第１実施形態の表面の概略的平面図である。図２は、図１の裏面の概略的平面図である。
【００２５】
まず、ガイドマップ本体１は、長手方向の中心位置に短手方向に折り線４が印刷され、該折り線４に沿って二つ折り可能に構成されており、該折り線の一方側が第一片２となり、他方側が第二片３となる。第一片２には、表面に宛名欄５が設けられ、裏面に観光地をモチーフにした美的に優れたグラフィック部９が印刷されている。すなわち、折り線に沿って切断されることにより前記第一片２は絵はがきの形態をなすように設けられている。
【００２６】
そして、前記第二片３の表面には観光地のルートを示した地図掲載部６と広告が掲載される広告掲載部７が印刷され、裏面には前記グラフィック部９に描かれた観光地の説明文掲載部８が印刷されている。
【００２７】
つまり、ガイドマップ本体１には、表面に、宛名欄５と地図掲載部６と広告掲載部７が設けられている構成になり、裏面に、説明文掲載部８とグラフィック部９とが設けられている構成になる。
【００２８】
また、第１実施形態のガイドマップにおいて、説明文掲載部８およびグラフィック部９が同じ面に設けられる構成からなるため、前記グラフィック部９を見ながらその観光地の説明文掲載部８を読むことができるという利点がある。
【００２９】
また、折り線４は、該構成に限定されるものではなく、ミシン目によって、切り離しが容易となる構成も採用することができ、本発明の意図する範囲内で適宜設計変更可能である。
【００３０】
〈第２実施形態〉
図３は、本発明の第２実施形態の表面の概略的平面図である。図４は、図３の裏面の概略的平面図である。
【００３１】
第２実施形態のガイドマップにあっては、ガイドマップ本体１は、第１実施形態と同様に、長手方向の中心に折り線４が印刷され、該折り線４に沿って二つ折り可能に構成されており、該折り線の一方側が第一片２、他方側が第二片３となる。前記第一片２には宛名欄５が設けられ、前記第二片３には観光地の説明文掲載部８、観光地までのルートを示した地図掲載部６が前記第一片２の前記宛名欄５と同面に印刷されている。
【００３２】
そして、前記第一片２および前記第二片３の裏面には、観光地をモチーフにした美的に優れたグラフィック部９が前記第一片２および前記第二片に亘り印刷されている。
【００３３】
なお、第２実施形態のガイドマップにおいては、広告が掲載される広告掲載部７を設ける構成を採用することも可能である。
【００３４】
なお、第２実施形態の前記第一片２および前記第二片３に亘りグラフィック部９が印刷される構成は限定されるものではなく、前記第一片２および前記第二片３に亘って使用せず、折り線４を利用して２枚のグラフィックが印刷されている構成も採用することが可能であり、本発明の意図する範囲内適宜設計変更可能である。
【００３５】
また、本発明にあっては、上記実施例に限定されるものではなく、本発明の意図する範囲内で適宜設計変更可能である。
【００３６】
次に、本発明の展示方法について概説する。
【００３７】
本発明は、無料で提供されており、人々の目に付きやすく、自由に持ち出し可能なように展示される。たとえば、具体的には、観光地のホテルにおいて、本発明が目に付きやすく取り出しやすい専用の棚を設置したり、あるいは、利用客が訪れるたびに目に留まるようホテルのフロントに陳列したり、また、ホテル側のサービスとして封筒に入れてお客様に贈ることも可能である。
【００３８】
また、陳列場所を限定せず、観光客が利用するであろう観光地はもちろん銀行や店舗もしくは駅構内などの様々な場所に置かれることにより、多くの人々の目に触れさせることが可能である。
【００３９】
なお、本発明の展示方法は限定されるものではなく、たとえば、広告主を募集せず、有料で本発明を提供することも可能であり、本発明の意図する範囲内で適宜設計変更可能である。
【図面の簡単な説明】
【００４０】
【図１】本発明の第１実施形態の表面の概略的平面図である。
【図２】第１実施形態の裏面の概略的平面図である。
【図３】本発明の第２実施形態の表面の概略的平面図である。
【図４】第２実施形態の裏面の概略的平面図である。
【符号の説明】
【００４１】
１  本体
２  第一片
３  第二片
４  折り線
５  宛名欄
６  地図掲載部
７  広告掲載部
８  説明文掲載部
９  グラフィック部
【図１】
2006027073.tif 000003
【図２】
2006027073.tif 000004
【図３】
2006027073.tif 000005
【図４】
2006027073.tif 000006